(57)【特許請求の範囲】
【請求項１】
本体を含み、前記本体の上側面の中には第一固定ブロックが固定的に取り付けられ、前記第一固定ブロックには調整空間が左右対称に設けられ、前記調整空間の中には患者の頭部を固定して生命徴候を検査するための徴候部品が設けられ、前記徴候部品は前記調整空間にスライドできるように取り付けられた挟みブロックを含み、前記挟みブロックの前側面には徴候検査底台が固定的に取り付けられ、前記徴候検査底台の後ろ側面には支持ロッドが左右対称に且つスライドできるように取り付けられ、前記支持ロッドの後ろ側面には接触ブロックが固定的に取り付けられ、患者を本願発明に寝かせ、前記挟みブロックが左右にスライドし患者の頭部を固定し、前記接触ブロックが患者の瞼と接触した後、下側の前記支持ロッドが下側の前記接触ブロックを駆動し下方へスライドさせ、上側の前記支持ロッドが下側の前記接触ブロックを下方へスライドさせ、
前記本体の外側面には第二固定ブロックが左右対称に固定的に取り付けられ、前記第二固定ブロックの中にはスライド空間が設けられ、前記スライド空間の中には緊急時に自動的に患者を救急できる救急部品が設けられ、前記救急部品は前記スライド空間の中にスライドできるように取り付けられたスライドロッドを含み、前記スライドロッドの前側面において前記第二固定ブロックの外側には胸部押し底台が固定的に取り付けられ、前記本体の前側面の中において二つの前記第二固定ブロックの中間には胸部押し感知器が固定的に取り付けられ、前記胸部押し底台の後ろ側面には押しロッドが前後にスライドできるように取り付けられ、前記押しロッドの後ろ側面には胸部押しモーターが固定的に取り付けられ、救急時に、前記胸部感知器が患者の心拍数を測定し、前記押しロッドが前記胸部押しモーターを駆動して前後にスライドさせて患者の胸部と接触させ、前記胸部押しモーターが通電されて救急を行うことを特徴とする患者運搬用自動救急ベッド。
【請求項２】
前記徴候部品は前記第一固定ブロックの中に固定的に取り付けられた第一モーターを含み、前記第一モーターの出力軸には第一ねじボルトが固定的に取り付けられ、前記第一固定ブロックの上側には背もたれがスライドできるように取り付けられ、前記背もたれの中にははすば歯車空間が設けられ、前記はすば歯車空間の上側には第一歯車空間が設けられ、前記第一ねじボルトが第一歯車空間の中まで延びており、前記第一ねじボルトにおいて前記第一歯車空間の中には第一歯車が固定的に取り付けられ、前記第一歯車空間の上下側面の間において前記第一ねじボルトの前側には回転軸が回転できるように取り付けられ、前記回転軸が前記第一歯車と噛合しており、前記背もたれの上側面の中には頭部感知器が固定的に取り付けられていることを特徴とする請求項１に記載の患者運搬用自動救急ベッド。
【請求項３】
前記回転軸において前記はすば歯車の中には第一はすば歯車が固定的に取り付けられ、前記はすば歯車の左右壁と前記背もたれの外側面の間には第二ねじボルトが回転できるように取り付けられ、前記第二ねじボルトが前記挟みブロックとねじ山によって連結され、前記第二ねじボルトにおいて前記はすば歯車空間の中には第二はすば歯車が固定的に取り付けられ、前記第二はすば歯車が前記第一はすば歯車と噛合しており、前記挟みブロックにおいて内部に近接する側面の中には固定時に病人を傷つけることを防止するソフトブロックが固定的に取り付けられていることを特徴とする請求項１に記載の患者運搬用自動救急ベッド。
【請求項４】
前記背もたれの中において前記はすば歯車空間の左右両側には第二歯車空間が設けられ、前記第二ねじボルトにおいて前記第二歯車空間の中には第三歯車が固定的に取り付けられ、前記第三歯車の上側面には第一歯車空間が設けられ、前記第一歯車空間の中には第一ラックがスライドできるように取り付けられ、前記第一ラックが前記第三歯車と噛み合っていることを特徴とする請求項１に記載の患者運搬用自動救急ベッド。
【請求項５】
前記徴候検査底台の後ろ側面の中には後方へ開口した位置空間が設けられ、前記支持ロッドが前記位置空間とスライドできるように連結され、二つの前記支持ロッドの間にはばねが固定的に取り付けられ、前記徴候検査底台の中において前記位置空間の上下両側にはリール空間が設けられ、前記リール空間の前側にはベルト空間が設けられ、前記リール空間の後ろ壁と前記ベルト空間の後ろ壁の間には伝動軸が回転できるように取り付けられ、前記伝動軸において前記リール空間の中にはリールが固定的に取り付けられ、前記リールには引き紐が固定的に巻き付けられ、前記引き紐のもう片側が前記支持ロッドと固定的に連結され、上側の前記リール空間の後ろ壁の中には第二モーターが固定的に取り付けられ、前記第二モーターの出力軸が前記伝動軸と固定的に連結され、前記伝動軸において前記ベルト空間の中にはプーリーが固定的に取り付けられ、二つの前記プーリーの間にはベルトが伝動できるように取り付けられていることを特徴とする請求項１に記載の患者運搬用自動救急ベッド。
【請求項６】
前記救急部品は前記スライド空間の頂壁の中に設けられた第二ラック空間を含み、前記第二ラック空間が前記スライド空間と連通しており、前記第二ラック空間の中には第二ラックがスライドできるように取り付けられ、前記第二ラックが前記スライドロッドと固定的に連結され、前記第二ラック空間の頂壁の中には第三歯車空間が連通するように設けられ、前記第三歯車空間の後壁の中には第三モーターが固定的に取り付けられ、前記第三モーターの出力軸には駆動軸が固定的に取り付けられ、前記駆動軸において前記第三歯車空間の中には第三歯車が固定的に取り付けられ、前記第三歯車が前記第二ラックと噛合しており、前記胸部押し底台の中において前記胸部押し感知器の前側には液圧シリンダーが固定的に取り付けられ、前記液圧シリンダーのピストンが前記押しロッドと固定的に連結されていることを特徴とする請求項１に記載の患者運搬用自動救急ベッド。
【発明の詳細な説明】
【技術分野】
【０００１】
本願発明は運搬分野を取り上げて、具体的には患者運搬用自動救急ベッドである。
【背景技術】
【０００２】
救急ベッドは救急時に患者を運搬する運搬用具であり、救急ベッドを使用することで緊急時に患者を安全な場所や病院内に運搬し救急することができる。
今市販されている救急ベッドのほとんどがただの運搬用具であるが、患者を運搬することにかかる時間こそが救急のゴールデンタイムであり、そのゴールデンタイムをよく利用することによって一人の命を救えるかもしれない。また、地震や重大な車事故に遭うと、患者の数が非常に多いから、医師や看護員が不足になる。従って、上記の問題を解決するため、患者運搬用自動救急ベッドが必要とされる。
【先行技術文献】
【特許文献】
【０００３】
【特許文献１】中国特許出願公開第１０７３３４５８２号明細書
【発明の概要】
【発明が解決しようとする課題】
【０００４】
本願発明の目的は患者運搬用自動救急ベッドを提供し、それは上記の現在の技術中の問題を解決できる。
【課題を解決するための手段】
【０００５】
上記の課題を解決するため、本願発明は以下の技術プランを採用する：患者運搬用自動救急ベッドは、本体を含み、前記本体の上側面の中には第一固定ブロックが固定的に取り付けられ、前記第一固定ブロックには調整空間が左右対称に設けられ、前記調整空間の中には患者の頭部を固定して生命徴候を検査するための徴候部品が設けられ、前記徴候部品は前記調整空間にスライドできるように取り付けられた挟みブロックを含み、前記挟みブロックの前側面には徴候検査底台が固定的に取り付けられ、前記徴候検査底台の後ろ側面には支持ロッドが左右対称に且つスライドできるように取り付けられ、前記支持ロッドの後ろ側面には接触ブロックが固定的に取り付けられ、患者を本願発明に寝かせ、前記挟みブロックが左右にスライドし患者の頭部を固定し、前記接触ブロックが患者の瞼と接触した後、下側の前記支持ロッドが下側の前記接触ブロックを駆動し下方へスライドさせ、上側の前記支持ロッドが下側の前記接触ブロックを下方へスライドさせ、
前記本体の外側面には第二固定ブロックが左右対称に固定的に取り付けられ、前記第二固定ブロックの中にはスライド空間が設けられ、前記スライド空間の中には緊急時に自動的に患者を救急できる救急部品が設けられ、前記救急部品は前記スライド空間の中にスライドできるように取り付けられたスライドロッドを含み、前記スライドロッドの前側面において前記第二固定ブロックの外側には胸部押し底台が固定的に取り付けられ、前記本体の前側面の中において二つの前記第二固定ブロックの中間には胸部押し感知器が固定的に取り付けられ、前記胸部押し底台の後ろ側面には押しロッドが前後にスライドできるように取り付けられ、前記押しロッドの後ろ側面には胸部押しモーターが固定的に取り付けられ、救急時に、前記胸部感知器が患者の心拍数を測定し、前記押しロッドが前記胸部押しモーターを駆動して前後にスライドさせて患者の胸部と接触させ、前記胸部押しモーターが通電されて救急を行う。
【０００６】
更の技術プラン、前記徴候部品は前記第一固定ブロックの中に固定的に取り付けられた第一モーターを含み、前記第一モーターの出力軸には第一ねじボルトが固定的に取り付けられ、前記第一固定ブロックの上側には背もたれがスライドできるように取り付けられ、前記背もたれの中にははすば歯車空間が設けられ、前記はすば歯車空間の上側には第一歯車空間が設けられ、前記第一ねじボルトが第一歯車空間の中まで延びており、前記第一ねじボルトにおいて前記第一歯車空間の中には第一歯車が固定的に取り付けられ、前記第一歯車空間の上下側面の間において前記第一ねじボルトの前側には回転軸が回転できるように取り付けられ、前記回転軸が前記第一歯車と噛合しており、前記背もたれの上側面の中には頭部感知器が固定的に取り付けられている。
【０００７】
更の技術プラン、前記回転軸において前記はすば歯車の中には第一はすば歯車が固定的に取り付けられ、前記はすば歯車の左右壁と前記背もたれの外側面の間には第二ねじボルトが回転できるように取り付けられ、前記第二ねじボルトが前記挟みブロックとねじ山によって連結され、前記第二ねじボルトにおいて前記はすば歯車空間の中には第二はすば歯車が固定的に取り付けられ、前記第二はすば歯車が前記第一はすば歯車と噛合しており、前記挟みブロックにおいて内部に近接する側面の中には固定時に病人を傷つけることを防止するソフトブロックが固定的に取り付けられている。
【０００８】
更の技術プラン、前記背もたれの中において前記はすば歯車空間の左右両側には第二歯車空間が設けられ、前記第二ねじボルトにおいて前記第二歯車空間の中には第三歯車が固定的に取り付けられ、前記第三歯車の上側面には第一歯車空間が設けられ、前記第一歯車空間の中には第一ラックがスライドできるように取り付けられ、前記第一ラックが前記第三歯車と噛み合っている。
【０００９】
更の技術プラン、前記徴候検査底台の後ろ側面の中には後方へ開口した位置空間が設けられ、前記支持ロッドが前記位置空間とスライドできるように連結され、二つの前記支持ロッドの間にはばねが固定的に取り付けられ、前記徴候検査底台の中において前記位置空間の上下両側にはリール空間が設けられ、前記リール空間の前側にはベルト空間が設けられ、前記リール空間の後ろ壁と前記ベルト空間の後ろ壁の間には伝動軸が回転できるように取り付けられ、前記伝動軸において前記リール空間の中にはリールが固定的に取り付けられ、前記リールには引き紐が固定的に巻き付けられ、前記引き紐のもう片側が前記支持ロッドと固定的に連結され、上側の前記リール空間の後ろ壁の中には第二モーターが固定的に取り付けられ、前記第二モーターの出力軸が前記伝動軸と固定的に連結され、前記伝動軸において前記ベルト空間の中にはプーリーが固定的に取り付けられ、二つの前記プーリーの間にはベルトが伝動できるように取り付けられている。
【００１０】
更の技術プラン、前記救急部品は前記スライド空間の頂壁の中に設けられた第二ラック空間を含み、前記第二ラック空間が前記スライド空間と連通しており、前記第二ラック空間の中には第二ラックがスライドできるように取り付けられ、前記第二ラックが前記スライドロッドと固定的に連結され、前記第二ラック空間の頂壁の中には第三歯車空間が連通するように設けられ、前記第三歯車空間の後壁の中には第三モーターが固定的に取り付けられ、前記第三モーターの出力軸には駆動軸が固定的に取り付けられ、前記駆動軸において前記第三歯車空間の中には第三歯車が固定的に取り付けられ、前記第三歯車が前記第二ラックと噛合しており、前記胸部押し底台の中において前記胸部押し感知器の前側には液圧シリンダーが固定的に取り付けられ、前記液圧シリンダーのピストンが前記押しロッドと固定的に連結されている。
【発明の効果】
【００１１】
本願発明は、感知器によって背もたれの位置を調整し、背もたれを徴候検査底台と固定することによって検査時において瞼の位置をよく制御し、位置が外れることによる瞼検査部品から与えられた患者への二次傷害を防止し、また、医師や看護員が不足のとき、自動的に患者の徴候を検査し、医師や看護員をストレスを減らし、心拍数測定器の測定結果によって、ラックが押しロッドを駆動し位置を調整し、精確に救急することに便利であり、普及する価値がある。
【図面の簡単な説明】
【００１２】
下記に図１〜５をあわせて本願発明について詳しく説明し、便利に説明するために、下記の方向を以下のように規定する：図１は本願発明装置の正面図であり、以下に述べる上下左右前後の方向と図１の自身投影関係の上下左右前後の方向とが一致である。
【００１３】
【図１】図１は本願発明の全体構成略図
【図２】図２は図１のＡ―Ａの断面図
【図３】図３は図１のＢ―Ｂの断面図
【図４】図４は図１のＣ―Ｃの断面図
【図５】図５は図２のＤの部分拡大図
【発明を実施するための形態】
【００１４】
患者運搬用自動救急ベッドは、本体２０を含み、前記本体２０の上側面の中には第一固定ブロック４０が固定的に取り付けられ、前記第一固定ブロック４０には調整空間２６が左右対称に設けられ、前記調整空間２６の中には患者の頭部を固定して生命徴候を検査するための徴候部品８０が設けられ、前記徴候部品８０は前記調整空間２６にスライドできるように取り付けられた挟みブロック２８を含み、前記挟みブロック２８の前側面には徴候検査底台５８が固定的に取り付けられ、前記徴候検査底台５８の後ろ側面には支持ロッド６４が左右対称に且つスライドできるように取り付けられ、前記支持ロッド６４の後ろ側面には接触ブロック６５が固定的に取り付けられ、患者を本願発明に寝かせ、前記挟みブロック２８が左右にスライドし患者の頭部を固定し、前記接触ブロック６５が患者の瞼と接触した後、下側の前記支持ロッド６４が下側の前記接触ブロック６５を駆動し下方へスライドさせ、上側の前記支持ロッド６４が下側の前記接触ブロック６５を下方へスライドさせる。
【００１５】
前記本体２０の外側面には第二固定ブロック２３が左右対称に固定的に取り付けられ、前記第二固定ブロック２３の中にはスライド空間２１が設けられ、前記スライド空間２１の中には緊急時に自動的に患者を救急できる救急部品８１が設けられ、前記救急部品８１は前記スライド空間２１の中にスライドできるように取り付けられたスライドロッド４３を含み、前記スライドロッド４３の前側面において前記第二固定ブロック２３の外側には胸部押し底台２２が固定的に取り付けられ、前記本体２０の前側面の中において二つの前記第二固定ブロック２３の中間には胸部押し感知器４８が固定的に取り付けられ、前記胸部押し底台２２の後ろ側面には押しロッド５１が前後にスライドできるように取り付けられ、前記押しロッド５１の後ろ側面には胸部押しモーター５２が固定的に取り付けられ、救急時に、前記胸部感知器４８が患者の心拍数を測定し、前記押しロッド５１が前記胸部押しモーター５２を駆動して前後にスライドさせて患者の胸部と接触させ、前記胸部押しモーター５２が通電されて救急を行う。
【００１６】
前記徴候部品８０は前記第一固定ブロック４０の中に固定的に取り付けられた第一モーター４１を含み、前記第一モーター４１の出力軸には第一ねじボルト４６が固定的に取り付けられ、前記第一固定ブロック４０の上側には背もたれ３０がスライドできるように取り付けられ、前記背もたれ３０の中にははすば歯車空間３５が設けられ、前記はすば歯車空間３５の上側には第一歯車空間３４が設けられ、前記第一ねじボルト４６が第一歯車空間３４の中まで延びており、前記第一ねじボルト４６において前記第一歯車空間３４の中には第一歯車３１が固定的に取り付けられ、前記第一歯車空間３４の上下側面の間において前記第一ねじボルト４６の前側には回転軸３３が回転できるように取り付けられ、前記回転軸３３が前記第一歯車３１と噛合しており、前記背もたれ３０の上側面の中には頭部感知器４９が固定的に取り付けられ、患者を本願発明に寝かせた後、頭部感知器４９が患者の頭部の位置を検知し、第一モーター４１を始動し、第一モーター４１が第一ねじボルト４６を回転させ、第一ねじボルト４６が第一歯車３１と第二歯車３２と回転軸３３を回転させ、頭部の背もたれの位置が調節される。
【００１７】
前記回転軸３３において前記はすば歯車３５の中には第一はすば歯車４７が固定的に取り付けられ、前記はすば歯車３５の左右壁と前記背もたれ３０の外側面の間には第二ねじボルト２７が回転できるように取り付けられ、前記第二ねじボルト２７が前記挟みブロック２８とねじ山によって連結され、前記第二ねじボルト２７において前記はすば歯車空間３５の中には第二はすば歯車３７が固定的に取り付けられ、前記第二はすば歯車３７が前記第一はすば歯車４７と噛合しており、前記挟みブロック２８において内部に近接する側面の中には固定時に病人を傷つけることを防止するソフトブロック２９が固定的に取り付けられ、患者の頭部が適するところに位置した後、回転軸３３が第一はすば歯車４７と第二はすば歯車３７と第二ねじボルト２７を回転させ、第二ねじボルト２７が回転し挟みブロック２８を左右にスライドさせ、挟みブロック２８が患者の頭部を固定する。
【００１８】
前記背もたれ３０の中において前記はすば歯車空間３５の左右両側には第二歯車空間６６が設けられ、前記第二ねじボルト２７において前記第二歯車空間６６の中には第三歯車３８が固定的に取り付けられ、前記第三歯車３８の上側面には第一歯車空間３９が設けられ、前記第一歯車空間３９の中には第一ラック３６がスライドできるように取り付けられ、前記第一ラック３６が前記第三歯車３８と噛み合っており、頭部が固定された後、第二ねじボルト２７が第三歯車３８を回転させ、第三歯車３８が第一ラック３６を患者の瞼に接触するまで上下にスライドさせ、徴候を検査する準備をする。
【００１９】
前記徴候検査底台５８の後ろ側面の中には後方へ開口した位置空間５４が設けられ、前記支持ロッド６４が前記位置空間５４とスライドできるように連結され、二つの前記支持ロッド６４の間にはばね５５が固定的に取り付けられ、前記徴候検査底台５８の中において前記位置空間５４の上下両側にはリール空間５７が設けられ、前記リール空間５７の前側にはベルト空間６２が設けられ、前記リール空間５７の後ろ壁と前記ベルト空間６２の後ろ壁の間には伝動軸５９が回転できるように取り付けられ、前記伝動軸５９において前記リール空間５７の中にはリール５６が固定的に取り付けられ、前記リール５６には引き紐が固定的に巻き付けられ、前記引き紐のもう片側が前記支持ロッド６４と固定的に連結され、上側の前記リール空間５７の後ろ壁の中には第二モーター６３が固定的に取り付けられ、前記第二モーター６３の出力軸が前記伝動軸５９と固定的に連結され、前記伝動軸５９において前記ベルト空間６２の中にはプーリー６０が固定的に取り付けられ、二つの前記プーリー６０の間にはベルト６１が伝動できるように取り付けられ、接触ブロック６５が患者の瞼に接触したとき、第二モーター６３を起動し、第二モーター６３が上側の伝動軸５９と、上側のリール５６と、上側のプーリー６０とを回転させ、上側のプーリー６０が回転しベルト６１を伝動させ、ベルト６１が伝動し下側のプーリー６０と下側の伝動軸５９と下側のリール５６を回転させ、リール５６が回転し引き紐を巻取り、支持ロッド６４が駆動され上下両側へスライドし徴候検査を行う。
【００２０】
前記救急部品８１は前記スライド空間２１の頂壁の中に設けられた第二ラック空間２４を含み、前記第二ラック空間２４が前記スライド空間２１と連通しており、前記第二ラック空間２４の中には第二ラック２５がスライドできるように取り付けられ、前記第二ラック２５が前記スライドロッド４３と固定的に連結され、前記第二ラック空間２４の頂壁の中には第三歯車空間４２が連通するように設けられ、前記第三歯車空間４２の後壁の中には第三モーター５３が固定的に取り付けられ、前記第三モーター５３の出力軸には駆動軸４５が固定的に取り付けられ、前記駆動軸４５において前記第三歯車空間４２の中には第三歯車４４が固定的に取り付けられ、前記第三歯車４４が前記第二ラック２５と噛合しており、前記胸部押し底台２２の中において前記胸部押し感知器４８の前側には液圧シリンダー５０が固定的に取り付けられ、前記液圧シリンダー５９のピストンが前記押しロッド５１と固定的に連結され、救急時に、第三モーター５３を始動し、第三モーター５３が駆動軸４５と第三歯車４４を回転させ、第三歯車４４が第二ラック２５とスライドロッド４３と胸部押し底台２２を左右にスライドさせ、位置調整が行われ、液圧シリンダー５０を起動し、液圧シリンダー５０が押しロッド５１と胸部押しモーター５２を後方へ移動させ、胸部押しモーター５２が複数回患者の胸部と接触し、救急が行われる。
【００２１】
初期状態に、二つの前記支持ロッド６４が互いに接触し、前記背もたれ３０が前記第一固定ブロック４０と接触している。
【００２２】
救護時に、患者を本願発明に寝かせ、頭部感知器４９が患者の頭部の位置を検知し、第一モーター４１を起動し、第一モーター４１が第一ねじボルト４６を回転させ、第一ねじボルト４６が第一歯車３１と第二歯車３２と回転軸３３を回転させ、頭部の背もたれの位置が調節され、患者の頭部が適するところに位置した後、回転軸３３が第一はすば歯車４７と第二はすば歯車３７と第二ねじボルト２７を回転させ、第二ねじボルト２７が回転し挟みブロック２８を左右にスライドさせ、挟みブロック２８が患者の頭部を固定し、頭部が固定された後、第二ねじボルト２７が第三歯車３８を回転させ、第三歯車３８が第一ラック３６を患者の瞼に接触するまで上下にスライドさせ、徴候を検査する準備をし、接触ブロック６５が患者の瞼と接触した後、第二モーター６３を起動し、第二モーター６３が上側の伝動軸５９と、上側のリール５６と、上側のプーリー６０とを回転させ、上側のプーリー６０が回転しベルト６１を伝動させ、ベルト６１が伝動し下側のプーリー６０と下側の伝動軸５９と下側のリール５６を回転させ、リール５６が回転し引き紐を巻取り、支持ロッド６４が駆動され上下両側へスライドし徴候検査を行う。
【００２３】
救急時に、第三モーター５３を始動し、第三モーター５３が駆動軸４５と第三歯車４４を回転させ、第三歯車４４が第二ラック２５とスライドロッド４３と胸部押し底台２２を左右にスライドさせ、位置調整が行われ、液圧シリンダー５０を起動し、液圧シリンダー５０が押しロッド５１と胸部押しモーター５２を後方へ移動させ、胸部押しモーター５２が複数回患者の胸部と接触し、救急が行われる。
【００２４】
本分野の技術者が明確できるのは、本願発明の総体精神や発想から離脱しない場合で、以上の実施例に各種な変形ができ、それらの変形がすべて本願発明の保護範囲にある。本願発明の保護方案は本願発明の権利要求書を標準とすべきである。
【要約】      （修正有）【課題】自動的に患者の徴候を検査することができる患者運搬用自動救急ベッドを提供する。【解決手段】本体２０を含み、前記本体の上側面の中には第一固定ブロック４０が固定的に取り付けられ、前記第一固定ブロックには調整空間２６が左右対称に設けられ、前記調整空間の中には患者の頭部を固定して徴候を検査する徴候部品８０が設けられ、前記徴候部品は前記調整空間にスライドできるように取り付けられた挟みブロック２８を含み、前記挟みブロックの前側面には徴候検査底台が固定的に取り付けられ、前記徴候検査底台の後ろ側面には支持ロッドが左右対称に且つスライドできるように取り付けられ、前記支持ロッドの後ろ側面には接触ブロックが固定的に取り付けられている。【選択図】図１【図１】
0006807506.tif 000002
【図２】
0006807506.tif 000003
【図３】
0006807506.tif 000004
【図４】
0006807506.tif 000005
【図５】
0006807506.tif 000006